(57)【要約】船の回りにサメ撃退の区域を持つ水上船用の船体(10)。その船体(10)は電磁界信号発生器に接続する二つの電極を含み、使用中にサメを撃退する船の回りに電磁界(40)を生成する。電極は電極コード(23)の端部から形成されるか、又は船体に取り付く、または一体化した伝導(24,25)板(20,21)から形成される。
2005524571.tif 000002
【特許請求の範囲】
【請求項１】
電磁界信号生成器に接続可能な少なくとも２つの電極を支持しており、使用時に前記電極は前記船の回りの水中において電磁界を生成し、前記電磁界は選択された水中動物を撃退するために働く事を特徴とする水上船用船体。
【請求項２】
前記少なくとも２つの電極が前記船体表面を越えて実質的に突き出ないように、前記少なくとも２つの電極のそれぞれの一つを受け入れる少なくとも２つの凹みを含む、請求項１に記載の水上船用船体。
【請求項３】
前記凹みに接続する溝を更に含み、前記溝は前記少なくとも２つの電極の一つの中のそれぞれの端部で終結する電極コードを収納する、請求項２に記載の水上船用船体。
【請求項４】
前記凹みは使用時に、前記電極により生成される電磁界に最高効率の分布状態を与えるように形成される請求項３に記載の水上船用船体。
【請求項５】
少なくとも２つの電極を含み、電磁界信号生成器に接続可能で、使用中に前記電極は前記水上船の回りの水中に電磁界を生成し、前記電磁界は選択された水中動物を撃退するために働く水上船用船体。
【請求項６】
前記少なくとも２つの電極が前記船体の表面を越えて実質的に突き出ない請求項５に記載の水上船用船体。
【請求項７】
前記少なくとも２つの電極が前記船体に対応する凹みにおいて受け入れられる請求項５または６に記載の水上船用船体。
【請求項８】
前記少なくとも２つの電極がそれぞれコードの端部を構成し、前記凹みに接続する前記船体中の溝の中で受け入れられる事を特徴とする請求項７に記載の水上船用船体。
【請求項９】
前記少なくとも２つの電極がそれぞれ伝導板から成る請求項６に記載の水上船用船体。
【請求項１０】
前記凹みは、使用中に、前記電極により生成された前記電磁界に最高効率の分布状態を与えるように形成される請求項７に従う水上船用船体。
【発明の詳細な説明】
【技術分野】
【０００１】
本発明はサメのような水生動物を撃退するために、水中で電磁界を生成する装置および適用例に関する。
【背景技術】
【０００２】
多数の装置が、水生動物を撃退することで知られている。大多数のこれらの装置は、ダイバーの近くに電磁界を生成するかまたは周辺の水中に障壁または境界を形成するように設計されている。
【０００３】
大部分の研究はサメのような軟骨魚類のサブグループの水生動物について導入されている。大部分のサメ撃退装置はスイマー、ダイバーまたは自然水愛好者の近隣に適当な電磁界を形成させるために沈めたアンテナや電極により水中に運ばれる電磁的パルスを使用する。
【０００４】
様々なパルス信号生成器が使用され、その特性はその信号所要時間や繰り返し数、振幅やパルス立上り時間の仕様を含んでいる。各々の特性の値または範囲は、最も有効とみなされる電磁界を生成するために慎重に選ばれる。
【０００５】
過去、この種の信号発生器は、サメがいない事を要求される区域でスイマーの身体にまたは使用される別個のユニットとして設置された。
【０００６】
人間がサメにより攻撃される危険にさらされるだけでなく、時々サーフボード、カヤック、いかだのような小型水上船や小型ボートもサメによって悩まされる。
【発明の開示】
【発明が解決しようとする課題】
【０００７】
本発明の目的は、サメにより悩まされている船の危険性を減らすために、水上船の回りにサメを撃退する電磁界を発生させる手段を供給することである。
【課題を解決するための手段】
【０００８】
本発明の第１の態様により、電磁界信号発生器に接続可能な少なくとも２つの電極で支持するように水上船用船体は設備され、使用中に、電極が船のまわりの水中に電磁界を生成して、電磁界は選択された水生動物を撃退するために働く。
【０００９】
好ましくは、その水上船用船体は、少なくとも２つの電極は船体の表面から実質的に突き出ないように、少なくとも２つの電極の各々1つを受けるために少なくとも２つの凹みを含む。
【００１０】
好ましくは、更にその水上船用船体はその凹みに接続している溝を含み、その溝は少なくともその２つの電極のそれぞれの端で終結する電極コードを収納するように適用される。
【００１１】
好ましくは、その凹みは、使用中にその電極によって生成される電磁界に最高効率の配電を与えるために形成される。
【００１２】
本発明の第二態様により、水上船用船体は電磁界信号発生器に接続可能な少なくとも2つの電極を組み入れ、使用中、その電極がその水上船の回りの水中に電磁界を生成し、その電磁界は選択された水中動物を撃退させるために働く。
【００１３】
好ましくは、その電極はその船体の表面を越えて実質的に突き出ない。
【００１４】
好ましくは、その電極はその船体中の対応する凹みにおいて受け入れられる。
【００１５】
好ましくは、電極はそれぞれ、コードの端を構成し、それはその凹みに接続しているその船体の溝において受け入れられる。
【００１６】
あるいは、電極はそれぞれの伝導板から成る。
【００１７】
好ましくは、その凹みは使用中に、その電極によって生成される電磁界に最高効率の配電を与えるように形成される。
【発明を実施するための最良の形態】
【００１８】
「アクアティック ヴェッセル(水上船)」というフレーズは、サーフボード、サーフ救出ボード、カヤック、帆船、手漕ぎボート、船舶および使用者の足の上に着用する水上スキーを含むすべての適切な船を対象にすると理解される。
【００１９】
代表的な水上船用船体10は、図1の側面図に示される。コードの両端に電極を有するコード（図示せず）を収納するための溝11は、船体10の中に設けられる。
本出願に適している電極コードの種類は、同時係属出願中のPCT出願No PCT/AU02/01297に従っており、その内容は、ここで、参考として述べられる。しかし、他のいかなる適切な電極配列の使用も認められる。
【００２０】
凹み12および13は、使用中に電極コードの電極（図示せず）を収容し、両方の電極がそれぞれの凹み12および13に置かれるまで、溝11を通してスライドされ、適当な手段により、固定される。
【００２１】
図２および図３は、それぞれ上面図および下面図を示す。
【００２２】
図４は図３と同様の図（下面図）であるが、溝11に挿入される電極コード23を有する。
電極24および25はコード23の端部にあり、それぞれ、凹み12および13において受け入れられる。
【００２３】
溝11は、電極コードが滑る繊維ガラス管11a（図６）を収容する。それから、溝11は船体10の外表面の輪郭が維持されるように、カバーされるか又は充てんされる。
【００２４】
露出した電極が船体内のその位置から効果的に放射することが可能であるように、凹み12および13は形成される。図６に見られるように、凹み12および13の角度は100°〜110°である。
【００２５】
船体10は凹み又は空洞14と共に販売される蓋15を含んでいる。凹み14は、電界信号発生器を受け入れて、収納する。この種の信号発生器は周知であり、その適切な発生装置はオーストラリアの特許 No 669806に記載されている。しかし、すべての適切な電界信号発生器も、使用される。溝14aは、信号発生器が電極（図５）に接続される手段を供給する。
【００２６】
この発明の概念は、適切な信号発生器に接続できる電極を組み入れた船用船体を供給することである。電極は、他のいかなる適切な形状の金属板または導線から成り、それは、船体に取り付けられるか又は船体と一体の部分を形成する。たとえば、船体のフロントエンドの一部は最初の電極を供給している金属や他の伝導板より作られるか含まれる。
一方、船体のバックエンドの部分は第二の電極を形成する金属又はその他の導体板より製造される。この種の配列は図７で示され、ここで、電極板20,21は船体10に組み込まれ、示される。適当な信号発生器に連結し、これらの板は水中の船体の回りに、サメを阻止する領域を作り出すために必要な電磁界を放射することができる。
【００２７】
図８は、水30の中で使用され、凹み12および13（図示せず）に取り付けられる電極を有するコードを組み入れている図１の船体を示す。
【００２８】
動作中に、その信号生成器（図示せず）は船体10の回りに電磁界40を生成し、船の回りにサメ撃退区域を形成する。これは、船または船から落ち、水中そして船のそばにいる人間を攻撃するサメの攻撃からの危険を減少させる。
【００２９】
上記が好適な実施例として記載されると共に、それ以上の修正および変更が本発明の範囲内とされると理解される。
【図面の簡単な説明】
【００３０】
【図１】本発明の好適な実施例に従う水上船用船体の側面図を示す
【図２】図１の水上船用船体の上面図を示す
【図３】図１の水上船用船体の下面図を示す
【図４】電極コード挿入した図３の船体を示す
【図５】電磁界信号発生器を受け入れるための凹みの詳細を示す
【図６】図３の線Ａ―Ａ’に沿う凹みの断面図を示す
【図７】図１の船体の代替配列を示す
【図８】電磁界を生成中の図１の船体を示す。
【符号の説明】
【００３１】
10…船体
11…溝
12，13…凹み
14…空洞
23…電極コード
40…電磁界
【図１】
2005524571.tif 000003
【図２】
2005524571.tif 000004
【図３】
2005524571.tif 000005
【図４】
2005524571.tif 000006
【図５】
2005524571.tif 000007
【図６】
2005524571.tif 000008
【図７】
2005524571.tif 000009
【図８】
2005524571.tif 000010
【国際調査報告】
2005524571.tif 000011
2005524571.tif 000012
2005524571.tif 000013